(57)【特許請求の範囲】
【請求項１】
電子機器の筐体に、該筐体の少なくとも一部を覆うカバー板が着脱自在に取着されるカバー板取着構造であって、
前記筐体には、前記カバー板を着脱自在に係着するための各種係止部が設けられる一方、前記カバー板には、前記各種係止部に対応する位置に、前記筐体に着脱自在に係着されるための被係止片としての各種爪部が設けられ、
前記各種係止部と、前記各種爪部とのうち、前記筐体側の第１の係止部と、該第１の係止部に対応する前記カバー板側の第１の爪部との関係では、
前記筐体側の前記第１の係止部は、前記カバー板側の前記第１の爪部を縦に落とし込むための無天井の凹部と、前記無天井の凹部に落とし込まれた前記第１の爪部を横にスライドさせることで、係着・脱着させる有天井の横溝とからなると共に、
前記カバー板側の前記第１の爪部は、前記第１の係止部の前記横溝に挿入される挿入部と、前記カバー板の裏面から垂下して前記挿入部を支持する支持部と、前記カバー板の裏面と前記支持部と前記挿入部とから画成され、該挿入部を有天井の前記横溝に挿入自在とするための断面コ字型の開口と、該開口の一端側を塞ぐ態様で、前記カバー板の裏面から垂下して前記挿入部と前記支持部とを側方から当接して支持する平板状の補強部とからなることを特徴とするカバー板取着構造。
【請求項２】
前記カバー板が前記筐体に取着された状態で、前記カバー板のスライド方向に対して略平行な、互いに対向する第１の係止面及び第１の被係止面をそれぞれ有する前記第１の係止部及び前記第１の爪部と、
前記カバー板が前記筐体に取着された状態で、前記カバー板のスライド方向に対して傾斜した、互いに対向する第２の係止面及び第２の被係止面をそれぞれ有する第２の係止部及び第２の爪部とを備えたことを特徴とする請求項１記載のカバー板取着構造。
【請求項３】
前記カバー板は、対称軸に対して略左右対称な略平板状の形状を有し、前記スライド方向が前記対称軸に略平行となるように、前記筐体上を前進又は後退し、前記第１の爪部及び前記第２の爪部は、前記カバー板の裏面の周縁部から突設され、前記第１の被係止面は、前記裏面に対して略平行となるように形成され、前記第２の被係止面は、前記裏面に対して所定の傾斜角で傾斜するように形成され、
前記第１の係止面は、前記カバー板が前記筐体に取着された状態で、前記裏面に対して略平行となるように形成され、前記第２の係止面は、前記カバー板が前記筐体に取着された状態で、前記裏面に対して所定の傾斜角で傾斜するように形成されている
ことを特徴とする請求項２記載のカバー板取着構造。
【請求項４】
前記電子機器は、構成各部に電力を供給するために用いられる電池パックを格納する電池格納部を有する携帯型の電子機器であり、前記カバー板は、前記電池格納部を覆う電池カバーからなり、前記筐体の所定の側壁部には、前記電池パックを充電するための充電装置に装着するための被装着部が設けられ、前記第２の係止部が、前記筐体の前記側壁部を避けて形成されていることを特徴とする請求項２又は３記載のカバー板取着構造。
【請求項５】
電子機器の筐体に着脱自在に取着され、前記筐体の少なくとも一部を覆うカバー板であって、
前記筐体には、当該カバー板を着脱自在に係着するための各種係止部が設けられる一方、当該カバー板には、前記各種係止部に対応する位置に、前記筐体に着脱自在に係着されるための被係止片としての各種爪部が設けられ、
前記各種係止部と、前記各種爪部とのうち、前記筐体側の第１の係止部と、該第１の係止部に対応する前記カバー板側の第１の爪部との関係では、
前記筐体側の前記第１の係止部は、前記カバー板側の前記第１の爪部を縦に落とし込むための無天井の凹部と、前記無天井の凹部に落とし込まれた前記第１の爪部を横にスライドさせることで、係着・脱着させる有天井の横溝とからなると共に、
当該カバー板側の前記第１の爪部は、前記第１の係止部の前記横溝に挿入される挿入部と、前記カバー板の裏面から垂下して前記挿入部を支持する支持部と、前記カバー板の裏面と前記支持部と前記挿入部とから画成され、該挿入部を有天井の前記横溝に挿入自在とするための断面コ字型の開口と、該開口の一端側を塞ぐ態様で、前記カバー板の裏面から垂下して前記挿入部と前記支持部とを側方から当接して支持する平板状の補強部とからなることを特徴とするカバー板。
【請求項６】
当該カバー板が前記筐体に取着された状態で、前記カバー板のスライド方向に対して略平行な第１の係止面を有する前記第１の係止部と、スライド方向に対して傾斜した第２の係止面を有する第２の係止部とが設けられた前記筐体に取着され、
当該カバー板が前記筐体に取着された状態で、前記カバー板のスライド方向に対して略平行で、前記第１の係止面に対向する第１の被係止面を有する前記第１の爪部と、スライド方向に対して傾斜し、前記第２の係止面に対向する第２の被係止面を有する第２の爪部とを備えたことを特徴とする請求項５記載のカバー板。
【請求項７】
対称軸に対して略左右対称な略平板状の形状を有し、前記スライド方向が前記対称軸に略平行となるように、前記筐体上を前進又は後退し、前記第１の爪部及び前記第２の爪部は、当該カバー板の裏面の周縁部から突設され、前記第１の被係止面は、前記裏面に対して略平行となるように形成され、前記第２の被係止面は、前記裏面に対して所定の傾斜角で傾斜するように形成され、
前記第１の係止面は、当該カバー板が前記筐体に取着された状態で、前記裏面に対して略平行となるように形成され、前記第２の係止面は、当該カバー板が前記筐体に取着された状態で、前記裏面に対して所定の傾斜角で傾斜するように形成されている
ことを特徴とする請求項６記載のカバー板。
【請求項８】
前記電子機器は、構成各部に電力を供給するために用いられる電池パックを格納する電池格納部を有する携帯型の電子機器であり、当該カバー板は、前記電池格納部を覆う電池カバーからなり、前記筐体の所定の側壁部には、前記電池パックを充電するための充電装置に装着するための被装着部が設けられ、前記第２の係止部が、前記筐体の前記側壁部を避けて形成されていることを特徴とする請求項６又は７記載のカバー板。
【請求項９】
請求項１乃至４のいずれか１に記載のカバー板取着構造を備えたことを特徴とする電子機器。
【請求項１０】
請求項５乃至８のいずれか１に記載のカバー板が取着されることを特徴とする電子機器。
【発明の詳細な説明】
【技術分野】
【０００１】
この発明は、カバー板取着構造、カバー板及び電子機器に係り、例えば、携帯電話機等の携帯型の電子機器を構成する電池格納部を覆う電池カバー等のカバー板がスライド操作によって筐体に着脱自在に取り付られるカバー板取着構造、カバー板及び電子機器に関する。
【背景技術】
【０００２】
従来より、携帯電話機等の携帯型の電子機器においては、電子機器本体に、充電可能なリチウムイオン二次電池等の電池からなる電池パックが着脱自在に装着され、この電池パックが交換可能なようになされている。
ここで、電池パックを電子機器本体に着脱自在に装着すると共に、電気的接続を確実に行うために、電池パック側の接続端子又は電子機器本体側の接続端子にばね性を持たせている。
【０００３】
さらに、電池パックを保護し、電池格納部を覆うカバー板としての略平板状の電池カバーが、筐体に取り着けられる。電池カバーの内面側の周縁部には、被係止片としての爪部が設けられ、電池カバーを筐体に対してスライド操作することによって、この爪部が、筐体の電池格納部の縁部に設けられた係止部に係止されて、電池カバーが筐体に着脱自在に取り着けられる（例えば、特許文献１等参照。）。
【０００４】
この携帯電話機における電池カバー取着構造は、図１７に示すように、折畳可能な携帯電話機１２１において、電池カバー１２２が、その裏面１２２ａの周縁部がリアケース１２３の載置部に載せられた状態から、載置部上をリアケース１２３の長さ方向に沿ってヒンジ部１２４が形成された側から先端部へ向けて摺動されて、前端爪部１２５と、左右一対の側端前側爪部１２６と、左右一対の側端後側爪部１２７とが、前端係止部１２８と、左右一対の側端前側係止部１２９と、側端後側係止部１３１とによって、係止されることによって、リアケース１２３に着脱自在に取り着けられて概略構成されている。
【０００５】
側端前側係止部１２９は、図１７及び図１８に示すように、側端前側爪部１２６が収納される凹部１３２と、側端前側爪部１２６を挿入するための開口１３３を残して凹部１３２の一部を塞ぐ蓋部１３４とを有している。
蓋部１３４の開口１３３の前端側の縁部には、側端前側爪部１２６の傾斜面１２６ｐに当接し、スライド方向に対して（例えば、電池格納部の底面に対して（リアケース１２３の長さ方向に対して））、所定の傾斜角で傾斜した傾斜面１３４ａが形成されている。凹部１３２は、側端前側爪部１２６の下面に対面する底面１３２ａを有している。
【０００６】
側端前側爪部１２６は、電池カバー１２２の裏面１２２ａから垂下したフック部１２６ａを有し、フック部１２６ａは、蓋部１２９の傾斜面１３４ａに当接し、スライド方向に対して（裏面１２２ａに対して（電池カバー１２２の長さ方向に対して））、所定の傾斜角で傾斜した傾斜面１２６ｐと、底面１３２ａに対面する下面１２６ｑとを有している。
なお、傾斜面１３４ａの傾斜角と傾斜面１２６ｐの傾斜角とは、側端前側係止部１２９によって側端前側爪部１２６が係止されている場合に、略同一となるように設定されている。
【０００７】
側端後側係止部１３１は、図１７及び図１９に示すように、側端後側爪部１２７が収納される凹部１３６と、側端後側爪部１２７を挿入するための開口１３７を残して凹部１３６の一部を塞ぐ蓋部１３８とを有している。
蓋部１３８の開口１３７の前端側の縁部には、側端後側爪部１２７の傾斜面１２７ｐに当接し、スライド方向に対して（例えば、電池格納部の底面に対して（リアケース１２３の長さ方向に対して））、所定の傾斜角で傾斜した傾斜面１３８ａが形成されている。凹部１３６は、側端後側爪部１２７の下面に対面する底面１３６ａを有している。
【０００８】
側端後側爪部１２７は、電池カバー１２２の裏面１２２ａから垂下したフック部１２７ａを有し、フック部１２７ａは、蓋部１３８の傾斜面１３８ａに当接し、スライド方向に対して（裏面１２２ａに対して（電池カバー１２２の長さ方向に対して））、所定の傾斜角で傾斜した傾斜面１２７ｐと、底面１３６ａに対面する下面１２７ｑとを有している。
なお、傾斜面１３８ａの傾斜角と傾斜面１２７ｐの傾斜角とは、側端後側係止部１３１によって側端後側爪部１２７が係止されている場合に、略同一となるように設定されている。
【０００９】
側端前側爪部１２６を開口１２３から凹部１３２に挿入し、かつ、側端後側爪部１２７を開口１３７から凹部１３６に挿入するように電池カバー１２２を載置部に載置した状態で、電池カバー１２２を前方へ摺動させると、例えば、傾斜面１３４ａに対して傾斜面１２６ｐが摺動しながら、側端前側爪部１２６が蓋部１３４の下方に潜り込むように、側端前側爪部１２６が変位して、側端前側係止部１２９によって側端前側爪部１２６が係止され、かつ、傾斜面１３８ａに対して傾斜面１２７ｐが摺動しながら、側端後側爪部１２７が蓋部１３８の下方に潜り込むように、側端後側爪部１２７が変位して、側端後側係止部１３１によって側端後側爪部１２７が係止される。
【特許文献１】特開２０００−２６０４０６号公報
【発明の開示】
【発明が解決しようとする課題】
【００１０】
解決しようとする問題点は、上記従来技術では、筐体に形成された係止部と、係止部によって係止される電池カバーの被係止片としての爪部との係合関係の調整を行うことが困難であるという点である。
例えば、傾斜面１３４ａは、電池格納部の底面に対して傾斜するように形成され、傾斜面１２６ｐは、電池カバー１２２の裏面１２２ａに対して傾斜するように形成されている。
【００１１】
したがって、電池カバー１２２のスライド操作による円滑な取着け及び取外しと、確実な取着状態の維持のための側端前側係止部１２９と側端前側爪部１２６との係合関係の調整に関しては、側端前側係止部１２９及び側端前側爪部１２６の各部の寸法を、スライド方向を基準軸（ｘ軸）として選択した場合に、例えば、ｘ座標と、電池カバー１２２厚さ方向に沿ったｚ軸に沿ったｚ座標とについて、同時に調整しなければならない。さらに、複数の係合箇所について、上記係合関係の調整を行う必要があるために、時間と手間がかかってしまう。
【００１２】
この発明は、上述の事情に鑑みてなされたもので、係止部と被係止片との係合関係の調整を迅速かつ簡単に行うことができるカバー板取着構造、カバー板及び電子機器を提供することを目的としている。
【課題を解決するための手段】
【００１３】
上記課題を解決するために、請求項１記載の発明は、電子機器の筐体に、該筐体の少なくとも一部を覆うカバー板が着脱自在に取着されるカバー板取着構造に係り、上記筐体には、上記カバー板を着脱自在に係着するための各種係止部が設けられる一方、上記カバー板には、上記各種係止部に対応する位置に、上記筐体に着脱自在に係着されるための被係止片としての各種爪部が設けられ、上記各種係止部と、上記各種爪部とのうち、上記筐体側の第１の係止部と、該第１の係止部に対応する上記カバー板側の第１の爪部との関係では、上記筐体側の上記第１の係止部は、上記カバー板側の上記第１の爪部を縦に落とし込むための無天井の凹部と、上記無天井の凹部に落とし込まれた上記第１の爪部を横にスライドさせることで、係着・脱着させる有天井の横溝とからなると共に、上記カバー板側の上記第１の爪部は、上記第１の係止部の上記横溝に挿入される挿入部と、上記カバー板の裏面から垂下して上記挿入部を支持する支持部と、上記カバー板の裏面と上記支持部と上記挿入部とから画成され、該挿入部を有天井の上記横溝に挿入自在とするための断面コ字型の開口と、該開口の一端側を塞ぐ態様で、上記カバー板の裏面から垂下して上記挿入部と上記支持部とを側方から当接して支持する平板状の補強部とからなることを特徴としている。
【００１４】
また、請求項２記載の発明は、請求項１記載のカバー板取着構造に係り、上記カバー板が上記筐体に取着された状態で、上記カバー板のスライド方向に対して略平行な、互いに対向する第１の係止面及び第１の被係止面をそれぞれ有する上記第１の係止部及び上記第１の爪部と、上記カバー板が上記筐体に取着された状態で、上記カバー板のスライド方向に対して傾斜した、互いに対向する第２の係止面及び第２の被係止面をそれぞれ有する第２の係止部及び第２の爪部とを備えたことを特徴としている。
【００１５】
また、請求項３記載の発明は、請求項２記載のカバー板取着構造に係り、上記カバー板は、対称軸に対して略左右対称な略平板状の形状を有し、上記スライド方向が上記対称軸に略平行となるように、上記筐体上を前進又は後退し、上記第１の爪部及び上記第２の爪部は、上記カバー板の裏面の周縁部から突設され、上記第１の被係止面は、上記裏面に対して略平行となるように形成され、上記第２の被係止面は、上記裏面に対して所定の傾斜角で傾斜するように形成され、上記第１の係止面は、上記カバー板が上記筐体に取着された状態で、上記裏面に対して略平行となるように形成され、上記第２の係止面は、上記カバー板が上記筐体に取着された状態で、上記裏面に対して所定の傾斜角で傾斜するように形成されていることを特徴としている。
【００１６】
また、請求項４記載の発明は、請求項２又は３記載のカバー板取着構造に係り、上記電子機器は、構成各部に電力を供給するために用いられる電池パックを格納する電池格納部を有する携帯型の電子機器であり、上記カバー板は、上記電池格納部を覆う電池カバーからなり、上記筐体の所定の側壁部には、上記電池パックを充電するための充電装置に装着するための被装着部が設けられ、上記第２の係止部が、上記筐体の上記側壁部を避けて形成されていることを特徴としている。
【００１７】
また、請求項５記載の発明は、電子機器の筐体に着脱自在に取着され、上記筐体の少なくとも一部を覆うカバー板に係り、上記筐体には、当該カバー板を着脱自在に係着するための各種係止部が設けられる一方、当該カバー板には、上記各種係止部に対応する位置に、上記筐体に着脱自在に係着されるための被係止片としての各種爪部が設けられ、上記各種係止部と、上記各種爪部とのうち、上記筐体側の第１の係止部と、該第１の係止部に対応する上記カバー板側の第１の爪部との関係では、上記筐体側の上記第１の係止部は、上記カバー板側の上記第１の爪部を縦に落とし込むための無天井の凹部と、上記無天井の凹部に落とし込まれた上記第１の爪部を横にスライドさせることで、係着・脱着させる有天井の横溝とからなると共に、当該カバー板側の上記第１の爪部は、上記第１の係止部の上記横溝に挿入される挿入部と、上記カバー板の裏面から垂下して上記挿入部を支持する支持部と、上記カバー板の裏面と上記支持部と上記挿入部とから画成され、該挿入部を有天井の上記横溝に挿入自在とするための断面コ字型の開口と、該開口の一端側を塞ぐ態様で、上記カバー板の裏面から垂下して上記挿入部と上記支持部とを側方から当接して支持する平板状の補強部とからなることを特徴としている。
【００１８】
また、請求項６記載の発明は、請求項５記載のカバー板に係り、当該カバー板が上記筐体に取着された状態で、上記カバー板のスライド方向に対して略平行な第１の係止面を有する上記第１の係止部と、スライド方向に対して傾斜した第２の係止面を有する第２の係止部とが設けられた上記筐体に取着され、当該カバー板が上記筐体に取着された状態で、上記カバー板のスライド方向に対して略平行で、上記第１の係止面に対向する第１の被係止面を有する上記第１の爪部と、スライド方向に対して傾斜し、上記第２の係止面に対向する第２の被係止面を有する第２の爪部とを備えたことを特徴としている。
【００１９】
また、請求項７記載の発明は、請求項６記載のカバー板に係り、対称軸に対して略左右対称な略平板状の形状を有し、上記スライド方向が上記対称軸に略平行となるように、上記筐体上を前進又は後退し、上記第１の爪部及び上記第２の爪部は、当該カバー板の裏面の周縁部から突設され、上記第１の被係止面は、上記裏面に対して略平行となるように形成され、上記第２の被係止面は、上記裏面に対して所定の傾斜角で傾斜するように形成され、上記第１の係止面は、当該カバー板が上記筐体に取着された状態で、上記裏面に対して略平行となるように形成され、上記第２の係止面は、当該カバー板が上記筐体に取着された状態で、上記裏面に対して所定の傾斜角で傾斜するように形成されていることを特徴としている。
【００２０】
また、請求項８記載の発明は、請求項６又は７記載のカバー板に係り、上記電子機器は、構成各部に電力を供給するために用いられる電池パックを格納する電池格納部を有する携帯型の電子機器であり、当該カバー板は、上記電池格納部を覆う電池カバーからなり、上記筐体の所定の側壁部には、上記電池パックを充電するための充電装置に装着するための被装着部が設けられ、上記第２の係止部が、上記筐体の上記側壁部を避けて形成されていることを特徴としている。
【００２１】
また、請求項９記載の発明に係る電子機器は、請求項１乃至４のいずれか１に記載の電子機器のカバー板取着構造を備えたことを特徴としている。
【００２２】
また、請求項１０記載の発明に係る電子機器は、請求項５乃至８のいずれか１に記載のカバー板が取着されることを特徴としている。
【発明の効果】
【００２３】
この発明の構成によれば、筐体側の第１の係止部（特定係止部）は、カバー板の対応する第１の爪部（特定被係止片）を縦に落とし込むための無天井の凹部と、無天井の凹部に落とし込まれた第１の爪部を横にスライドさせることで、係着・脱着させる有天井の横溝とからなると共に、カバー板側の第１の爪部は、上記第１の係止部の上記横溝に挿入される挿入部と、上記カバー板の裏面から垂下して上記挿入部を支持する支持部と、上記カバー板の裏面と上記支持部と上記挿入部とから画成され、該挿入部を有天井の上記横溝に挿入自在とするための断面コ字型の開口と、該開口の一端側を塞ぐ態様で、上記カバー板の裏面から垂下して上記挿入部と上記支持部とを側方から当接して支持する平板状の補強部とからなっているので、第１の係止部及び第１の爪部の各部のスライド方向に沿った寸法と、スライド方向に直交する方向に沿った寸法とを、独立に設定でき、それゆえ、第１の係止部と第１の爪部との係合関係の調整を迅速かつ簡単強固に行うことができる。
【発明を実施するための最良の形態】
【００２４】
筐体側の第１の係止部（特定係止部）は、カバー板の対応する第１の爪部（特定被係止片）を縦に落とし込むための無天井の凹部と、無天井の凹部に落とし込まれた第１の爪部を横にスライドさせることで、係着・脱着させる有天井の横溝とからなると共に、カバー板側の第１の爪部は、上記第１の係止部の上記横溝に挿入される挿入部と、上記カバー板の裏面から垂下して上記挿入部を支持する支持部と、上記カバー板の裏面と上記支持部と上記挿入部とから画成され、該挿入部を有天井の上記横溝に挿入自在とするための断面コ字型の開口と、該開口の一端側を塞ぐ態様で、上記カバー板の裏面から垂下して上記挿入部と上記支持部とを側方から当接して支持する平板状の補強部とから構成することで、第１の係止部及び第１の爪部の各部のスライド方向に沿った寸法と、スライド方向に直交する方向に沿った寸法とを、独立に設定できるので、第１の係止部と第１の爪部との係合関係の調整を迅速かつ簡単強固に行うという目的を実現した。
【実施例１】
【００２５】
図１は、この発明の第１の実施例である携帯電話機の構成を説明するための分解斜視図、図２は、同携帯電話機の電池カバーの構成を示す図であって、裏面側から見た斜視図、図３は、同携帯電話機の構成を示す断面図、図４は、図３のＡ部を拡大して示す拡大図、図５は、図３のＢ部を拡大して示す拡大図、図６は、同携帯電話機の構成を示すブロック図、図７は、同携帯電話機の後端係止部及び後端爪部の互いに当接する係止面及び被係止面を傾斜面とした理由を説明するための断面図、図８は、図７のＣ部を拡大して示す断面図、図９は、図７のＤ部を拡大して示す断面図、図１０は、同携帯電話機を充電器に装着した状態を示す斜視図、図１１は、同携帯電話機を同充電器に装着する様子を示す分解斜視図、図１２は、同携帯電話機を同充電器に装着した状態を示す平面図、図１３は、図１２のＥ−Ｅ線に沿った断面図、また、図１４は、図１３のＦ部を拡大して示す断面図である。
【００２６】
この例の携帯電話機１は、図１に示すように、上部ユニット２と下部ユニット３とが、折畳可能なようにヒンジ部４で相互に結合されて構成されている。
上部ユニット２は、図１及び図６に示すように、折畳可能な扁平な筐体２を構成する上部筐体５に、例えば周囲の風景や人物等を撮影する電子カメラユニット６と、例えば受話音声を出力する受話部７と、例えば着信時に着信音を出力する音声出力部８と、折畳時に内側となる側（内面側）に配設され液晶表示装置からなり例えば機能設定画面や、待受画面等が表示される主表示部９と、折畳時に外側となる側（外面側）に配設され液晶表示装置からなる補助表示部１１と、ＬＥＤを有し例えば着信時や通話時に発光する発光部１２とが実装されて概略構成されている。
【００２７】
上部筐体５は、共に例えばＡＢＳ樹脂等の合成樹脂成形品からなり、内面側を構成するフロントケース１４と、外面側を構成するリアケース１５とを有し、組み合されたフロントケース１４とリアケース１５とが嵌合によって、又は雌ねじや雄ねじ等の固定具による締着けによって、電子カメラユニット６や受話部７、音声出力部８、主表示部９、補助表示部１１、発光部１２が内部に収納され、又は取り着けられた状態で、組み立てられてなっている。
【００２８】
下部ユニット３は、折畳可能な扁平な筐体を構成する下部筐体１７に、図１及び図６に示すように、携帯電話機本体の構成各部を制御する制御部１８と、制御部１８が実行する処理プログラムや各種データ等を記憶するための記憶部１９と、内蔵アンテナ２１と、内蔵アンテナ２１を介して無線電波の送受信を行い、所定のプロトコルに従って通話やデータ通信を行うために用いられる無線通信部２２と、数字や文字の入力操作等を行うための多数の各種操作キー等からなる操作部２３と、送話音声を入力するマイクロフォンからなる送話部２４と、振動によって例えば着信を通知するための振動部２５と、電池パック２６を有する電源部２８とが実装されて概略構成されている。
【００２９】
下部筐体１７は、共に例えばＡＢＳ樹脂等の合成樹脂成形品からなり、内面側を構成するフロントケース３１と、外面側を構成するリアケース３２とを有し、組み合されたフロントケース３１とリアケース３２とが嵌合によって、又は雌ねじや雄ねじ等の固定具による締付けによって、制御部１８や、内蔵アンテナ２１、無線通信部２２、操作部２３、送話部２４、振動部２５、電源部２８等が内部に収納され、又は取り着けられた状態で、組み立てられてなっている。
【００３０】
なお、下部筐体１７のヒンジ部４側には、充電器９１に装着するための嵌合用凹部２９が形成されている。
電源部２８においては、電池パック２６が電池収納部２７に収納された状態で、電池カバー３３によって覆われ、保護される。
筐体２は、ヒンジ部４で相互に結合された上部筐体５と下部筐体１７とからなり、ヒンジ部４は、上側筐体５と下側筐体１７とを回動自在に結合して携帯電話機本体に折畳可能な構造を付与している。
【００３１】
この例の電源部２８は、図１乃至図６に示すように、扁平な略直方体形状の電池パック２６が下部筐体１７のリアケース３２の裏面側に設けられた電池格納部２７内に着脱自在に装着され、かつ、平板状の電池カバー３３がリアケース３２に着脱自在に取り着けられて概略構成されている。
電池格納部２７は、リアケース３２に形成された比較的浅底の凹部３４と、凹部３４を囲むように形成され、電池カバー３３を取り着けるためのカバー取着部３５とを有している。
【００３２】
凹部３４の内壁面のうち電池パック２６の側壁面が当接される内壁面３６には、凹部３４側に突出するように配設され、ばね性を有する断面略くの字形の接続端子３７を露出させるための開口３８が形成されている。
接続端子３７は、電池パック２６が電池格納部２７に格納された状態で開口３８から後退する向きにその先端が変位し、所定の大きさの復元力によって、接続端子３７は、電池パック２６に形成された接触面を押圧する。
【００３３】
カバー取着部３５は、リアケース３２に形成され電池カバー３３が嵌め込まれる開口４１の内部側（凹部３４側）の縁部に形成され、電池カバー３３の裏面３３ａの周縁部が載置される載置部４２と、電池カバー３３の前端部３３ｐを係止する前端係止部４３と、電池カバー３３の側端部３３ｒの前端部３３ｐ側を係止する一対の側端係止部４４と、電池カバー３３の後端部３３ｑを係止する一組（この例では、３つ）の後端係止部４５と、突起部５４を案内する斜面が形成された一対の案内溝４６と、電池カバー３３の前端部に設けられた突起部５５が嵌め込まれる位置決め用の一対の嵌合孔４７とを有している。
【００３４】
電池パック２６は、リチウムイオン二次電池等の充電可能な電池が格納されると共にその側壁部に長尺な小型基板が配設された電池パック本体と、電池パック本体と携帯電話機本体とを電気的に接続するための端子接続部材と、端子接続部材が取り着けられた電池パック本体を保護する外装体とを有してなっている。
【００３５】
電池カバー３３は、裏面（電池パック２６に対面する側の面）３３ａの周縁部が載置部４２に載せられた状態で、載置部４２上を、下部筐体１７の長さ方向に沿って、ヒンジ部４が形成された側から先端部へ向けて摺動されて、カバー取着部３５を構成する前端係止部４３、側端係止部４４及び後端係止部４５によって所定の部位が係止されることによって、リアケース３２に取り着けられ、それぞれ、裏面３３ａ側に突設され、前端係止部４３によって係止される前端爪部５１と、一対の側端係止部４４によって係止される側端爪部５２と、後端係止部４５によって係止される後端爪部５３と、案内溝４６に嵌め込まれ、後退時（取外時）に後端部３３ｑ側を浮き上がらせるための一対の案内用の突起部５４と、嵌合孔４７に嵌め込まれる一対の位置決め用の突起部５５とを有し、外表面（外気に晒される側の面）３３ｂ側の前端部には、押圧によって係止状態を解除するための押圧部５６を有している。
【００３６】
この例の電池カバー取着構造５７は、図１乃至図３に示すように、電池カバー３３が、裏面３３ａの周縁部が載置部４２に載せられた状態から、載置部４２上をリアケース３２の長さ方向に沿ってヒンジ部４が形成された側から先端部へ向けて摺動されて、前端爪部５１と、左右一対の側端爪部５２と、後端爪部５３とが、カバー取着部３５を構成し、載置部４２上に形成された前端係止部４３と、左右一対の側部係止部４４と、後端係止部４５とによって、係止されることによって、リアケース３２に着脱自在に取り着けられて概略構成されている。
【００３７】
ここで、前端係止部４３によって前端爪部５１が係止されることによって、電池カバー３３の後方、前方（リアケース３２の長さ方向）及び上方への変位が制止され、側端係止部４４によって側部爪部５２が係止されることによって、電池カバー３３の前方、側方（リアケース３２の幅さ方向）及び上方への変位が制止され、後端係止部４５によって後端爪部５３が係止されることによって、電池カバー３３の前方、側方及び上方への変位が制止されて、位置決めされた状態で、取り着けられる。
なお、ここで、「上方」とは、電池カバー３３をリアケース３２から引き離す方向（図１及び図３において上方）を示す。
【００３８】
前端係止部４３は、リアケース３２の開口４１の先端側の縁部近傍に形成され、下方（内部側）に突設された突起部６１を有している。なお、載置部４２の突起部６１近傍には、電池カバー３３を取り着ける場合に、電池カバー３３を摺動させたときに、前端爪部５１を挿入させるための挿入孔６２が形成されている。
前端爪部５１は、その先端部が下方に屈曲するように弾性的に変形可能なように形成されている。
【００３９】
挿入孔６２に前端爪部５１を挿入した状態で電池カバー３３を載置部４２上に載せ、この状態から電池カバー３３をその先端部側へ向けて摺動させることによって、前端爪部５１の先端部が突起部６１に押されて、下方に屈曲するように変形し、突起部６１を乗り越えると、復元力によって前端爪部５１が元の形状に戻って前端係止部４３によって前端爪部５１が係止される（前端係止部４３と前端爪部５１とが係合する）。これによって、電池カバー３３の後方への変位が制止される。
【００４０】
また、この前端係止部４３によって前端爪部５１が係止された状態から、押圧部５６が押圧されることによって、前端爪部５１の先端部が下方に屈曲して、突起部６１から離れて、前端係止部４３によって前端爪部５１が係止された係止状態が解除され（前端係止部４３と前端爪部５１との係合関係が解除され）、この状態で電池カバー３３をヒンジ側４へ向けて摺動させることによって、電池カバー３３が取り外される。
【００４１】
側端係止部４４は、図４に示すように、側端爪部５２が、リアケース３２の長さ方向（スライド方向）に沿って、所定の範囲で変位可能なように収納される断面略矩形状の凹部６３と、凹部６３の前側（リアケース３２の先端側）の隅部の側壁面から突設された略直方体状の突起部６４とを有している。
突起部６４は、側端爪部５２のフック部５２ｂの上面５２ｑに対面する下面６４ａと、下面６４ａに垂直で側端爪部５２の垂下部５２ａの前端面５２ｐが対面する後端面６４ｂとを有している。下面６４ａは、例えば、凹部３４の底面３４ａに対して平行となるように形成される。
【００４２】
凹部６３は、突起部６４の下面６４ａの直下に形成され、側端爪部５２のフック部５２ｂが収納される収納部６３ａと、側端爪部５２の所定の範囲内での変位を許すクリアランス部（余裕部）６３ｂとを有している。また、凹部６３は、側端爪部５２のフック部５２ｂの下面５２ｒが対面又は摺動される底面６３ｐと、底面６３ｐに垂直で側端爪部５２のフック部５２ｂの前端面５２ｓが対面する内壁面６３ｑとを有している。底面６３ｐは、例えば、凹部３４の底面３４ａに対して平行となるように形成される。
【００４３】
側端爪部５２は、断面略Ｌ字形の鉤状に形成され、電池カバー３３の裏面３３ａ側から垂下された垂下部５２ａと、垂下部５２ａによって支持され、前方に突設されたフック部５２ｂと、垂下部５２ａ及びフック部５２ｂを側方から支持する平板状の補強部５２ｃとを有している。
【００４４】
垂下部５２ａは、突起部６４の後端面６４ｂが対面する前端面５２ｐを有している。また、フック部５２ｂは、突起部６４の下面６４ａが対面する上面５２ｑと、凹部６３の底面６３ｐに対面又は摺動される下面５２ｒと、下面５２ｒに垂直で凹部６３の内壁面６３ｑに対面する前端面５２ｓとを有している。上面５２ｑ及び下面５２ｒは、例えば、電池カバー３３の裏面３３ａ及び外表面３３ｂに対して平行となるように形成される。
【００４５】
突起部６４の下面６４ａとフック部５２ｂの上面５２ｑとの接触によって、電池カバー３３の上方への変位が制止される。
また、突起部６４の後端面６４ｂと垂下部５２ａの前端面５２ｐとの接触、及び凹部６３の内壁面６３ｑとフック部５２ｂの前端面５２ｓとの接触によって、電池カバー３３の前方への変位が制止される。
なお、側端爪部５２は、電池カバー３３の裏面３３ａ側に、電池カバー３３を長さ方向に２分割する位置よりも前方に（この例では、電池カバー３３を長さ方向に３分割する位置よりも前方に）配置されている。
【００４６】
ここで、側端係止部４４及び側端爪部５２の各部位の寸法は、電池カバー３３の摺動操作によって、円滑に電池カバー３３の取着け及び取外しが行われると共に、取着時に適切な係合状態が安定的に維持されて、確実に取り着けられるように、予め調整され、最適な範囲で設定されている。
この例では、下面６４ａや底面６３ｐは、例えば、凹部３４の底面３４ａに対して平行となるように形成され、上面５２ｑや下面５２ｒは、例えば、電池カバー３３の裏面３３ａ及び外表面３３ｂに対して平行となるように形成されている。
【００４７】
このため、側端係止部４４及び側端爪部５２の各部位の寸法の設定及び調整等は、スライド方向に沿った軸を基準軸（例えば、ｘ軸）として選択した場合に、例えば、スライド方向に沿った寸法（ｘ軸座標）と、スライド方向に直交する方向（例えば、電池カバー３３の厚さ方向）に沿った寸法（ｚ軸座標）とで、独立に実行することが可能となっている。
例えば、係止面としての下面６４ａと被係止面としての上面５２ｑとが、引き離す力に抗して、互いに当接して確実に押圧し合うように、かつ、フック部５２ｂの先端部が収納部６３ａに円滑に挿入され、取り出せるように、特に、フック部５２ｂや収納部６３ａの上記ｚ軸方向の寸法が、要求される精度に応じて、許容される規定最小値と規定最大値とが設定される。
【００４８】
側端爪部５２をクリアランス部６３ｂに挿入するように電池カバー３３を載置部に４２載置した状態で、電池カバー３３を前方へ摺動させると、フック部５２ｂが突起部６４の下方の収納部６３ａに潜り込むように、側端爪部５２が変位し、側端係止部４４によって側端爪部５２が係止される。
ここで、突起部６４の下面６４ａとフック部５２ｂの上面５２ｑとの接触によって、電池カバー３３を持ち上げようとする力に抗して、電池カバー３３の上方への変位が制止される。
【００４９】
また、突起部６４の後端面６４ｂと垂下部５２ａの前端面５２ｐとの接触、及び凹部６３の内壁面６３ｑとフック部５２ｂの前端面５２ｓとの接触によって、電池カバー３３の前方への変位が制止される。
電池カバー３３を後方へ摺動させ、フック部５２ｂがクリアランス部６３ｂに移動して、突起部６４から外れると、側端係止部４４によって側端爪部５２が係止される係止状態が解除される（側部係止部４４と側部爪部５２との係合関係が解除される）。
【００５０】
後端係止部４５は、図５に示すように、後端爪部５３が、リアケース３２の長さ方向（スライド方向）に沿って、所定の範囲で変位可能なように収納される断面略矩形状の凹部６６と、後端側に形成された後端爪部５３を挿入するための矩形状の開口６７を残して凹部６６の一部を塞ぐ蓋部６８とを有している。
蓋部６８の開口６７の前端側の縁部には、後端爪部５３の傾斜面５３ｐに対面又は当接し、例えば、凹部３４の底面３４ａに対して（リアケース３２の長さ方向に対して）、所定の傾斜角で傾斜した傾斜面６８ａが形成されている。凹部６６は、後端爪部５３の下面５３ｑに対面する底面６６ａを有している。
【００５１】
後端爪部５３は、電池カバー３３の裏面３３ａから垂下したフック部５３ａを有し、フック部５３ａは、蓋部６８の傾斜面６８ａに対面又は当接し、裏面３３ａ及び外表面３３ｂに対して（電池カバー３３の長さ方向に対して）、所定の傾斜角で傾斜した傾斜面５３ｐと、底面６６ａに対面する下面５３ｑとを有している。
なお、傾斜面５３ｐの傾斜角と傾斜面６８ｐの傾斜角とは、後端係止部４５によって後端爪部５３が係止されている場合に、略同一となるように設定されている。
ここで、後端係止部４５及び後端爪部５３の各部位の寸法は、電池カバー３３の摺動操作によって、円滑に電池カバー３３の取着け及び取外しが行われると共に、取着時に適切な係合状態が安定的に維持されて、確実に取り着けられるように、予め調整され、最適な範囲で設定されている。
【００５２】
後端爪部５３を開口６７から凹部６６に挿入するように電池カバー３３を載置部に４２載置した状態で、電池カバー３３を前方へ摺動させると、傾斜面６８ａに対して傾斜面５３ｐが摺動しながら、後端爪部５３が蓋部６８の下方に潜り込むように、側端爪部５２が変位し、後端係止部４５によって後端爪部５３が係止される。
ここで、傾斜面６８ａと傾斜面５３ｐとの接触によって、電池カバー３３を持ち上げようとする力に抗して、電池カバー３３の上方への変位が制止されると共に、電池カバー３３の前方への変位が制止される。
電池カバー３３を後方へ摺動させると、後端爪部５３が開口６７の直下の凹部６６に移動して、蓋部６８から外れると、後端係止部４５によって後端爪部５３が係止される係止状態が解除される（後端係止部４５と後端爪部５３との係合関係が解除される）。
【００５３】
次に、この例の携帯電話機１の後端係止部及び後端爪部の互いに当接する係止面及び被係止面を傾斜面とした理由について、図７乃至図９を用いて説明する。
図７は、側端係止部及び側端爪部の係止面及び被係止面と、後端係止部及び後端爪部の係止面及び被係止面とを、共にスライド方向に沿って平行（取り着られけた電池カバーに略平行）とした場合の折畳可能な携帯電話機の断面図を示す。
【００５４】
この携帯電話機１Ａにおいて、図７及び図８に示すように、電池カバー取着構造７１は、電池カバー７２が、裏面７２ａの周縁部がリアケース７３の載置部７４に載せられた状態から、載置部７４上をリアケース７３の長さ方向に沿ってヒンジ部７５が形成された側から先端部へ向けて摺動されて、前端爪部７６と、左右一対の側端爪部７７と、後端爪部７８とが、載置部７４上に形成された前端係止部７９と、左右一対の側部係止部８１と、後端係止部８２とによって、係止されることによって、リアケース７３に着脱自在に取り着けられて概略構成されている。
【００５５】
前端爪部７６及び前端係止部７９は、携帯電話機１の前端爪部５１及び前端係止部４３と略同一の構成とされている。
また、側端爪部７７及び側部係止部８１は、携帯電話機１の側端爪部５２及び側部係止部４４と略同一の構成とされている。
すなわち、側端係止部８１は、図７及び図８に示すように、側端爪部７７が、リアケース７３の長さ方向（スライド方向）に沿って、所定の範囲で変位可能なように収納される断面略矩形状の凹部８３と、凹部８３の前側（リアケース７３の先端側）の隅部の側壁面から突設された略直方体状の突起部８４とを有している。
突起部８４は、側端爪部７７のフック部７７ｂの上面７７ｑが当接される下面８４ａと、下面８４ａに垂直で側端爪部７７の垂下部７７ａの前端面７７ｐが当接される後端面８４ｂとを有している。下面８４ａは、例えば、電池格納部の凹部の底面に対して平行となるように形成される。
【００５６】
凹部８３は、突起部８４の下面８４ａの直下に形成され、側端爪部７７のフック部７７ｂが収納される収納部８３ａと、側端爪部７７の所定の範囲内での変位を許すクリアランス部（余裕部）８３ｂとを有している。
また、凹部８３は、側端爪部７７のフック部７７ｂの下面７７ｒが対面又は摺動される底面８３ｐと、底面８３ｐに垂直で側端爪部７７のフック部７７ｂの前端面７７ｓが対面する内壁面８３ｑとを有している。底面８３ｐは、例えば、電池格納部の凹部の底面に対して平行となるように形成される。
【００５７】
側端爪部７７は、断面略Ｌ字形の鉤状に形成され、電池カバー７２の裏面７２ａ側から垂下された垂下部７７ａと、垂下部７７ａによって支持され、前方に突設されたフック部７７ｂとを有している。
垂下部７７ａは、突起部８４の後端面８４ｂが当接される前端面７７ｐを有している。また、フック部７７ｂは、突起部８４の下面８４ａが対面する上面７７ｑと、凹部８３の底面８３ｐに対面又は摺動される下面７７ｒと、下面７７ｒに垂直で凹部８３の内壁面８３ｑに対面する前端面７７ｓとを有している。上面７７ｑ及び下面７７ｒは、例えば、電池カバー７２の裏面７７ａに対して平行となるように形成される。
【００５８】
また、後端係止部８２は、リアケース７３のヒンジ部７５側の側壁部に形成され、図７及び図９に示すように、後端爪部７８の先端部が挿入される断面略矩形状の凹部８６と、突起部８７とを有している。
突起部８７は、側端爪部７８のフック部７８ｂの上面７８ｑが対面又は当接される下面８７ａと、下面８７ａに垂直で側端爪部７８の垂下部７８ａの前端面７８ｐが対面又は当接される後端面８７ｂとを有している。下面８７ａは、例えば、電池格納部の凹部の底面に対して平行となるように形成される。
【００５９】
凹部８６は、側端爪部７８のフック部７８ｂの下面７８ｒが対面又は摺動される底面８６ａと、底面８６ａに垂直で側端爪部７８のフック部７８ｂの前端面７８ｓが対面又は当接する内壁面８６ｂとを有している。底面８６ａは、例えば、電池格納部の凹部の底面に対して平行となるように形成される。
【００６０】
後端爪部７８は、電池カバー７２の後端部から垂下状態で断面鉤状に形成され、電池カバー７２の裏面７２ａ側から垂下された垂下部７８ａと、垂下部７８ａによって支持され、前方に突設されたフック部７８ｂとを有している。
【００６１】
垂下部７８ａは、突起部８７の後端面８７ｂが対面又は当接される前端面７８ｐを有している。また、フック部７８ｂは、突起部８７の下面８７ａが対面又は当接される上面７８ｑと、凹部８６の底面８６ａに対面又は摺動される下面７８ｒと、下面７８ｒに垂直で凹部８６の内壁面８６ｂに対面又は当接する前端面７８ｓとを有している。
上面７８ｑ及び下面７８ｒは、例えば、電池カバー７２の裏面７２ａに対して平行となるように形成される。
【００６２】
突起部８７の下面８７ａとフック部７８ｂの上面７８ｑとの接触によって、電池カバー７２を持ち上げようとする力に抗して、電池カバー７２の上方への変位が制止される。
ここで、後端爪部７８の外表面側の屈曲部と、リアケース７３との接触部位には、溝部８８が形成される。
後述するように、携帯電話機１Ａの電池パックを充電する場合には、携帯電話機１Ａを専用の充電器９１に装着する（図１０乃至図１４参照）。
【００６３】
折り畳んだ状態の携帯電話機１Ａを、下部ユニットを下に向けて、外部端子が形成された側を、外部端子側支持部９３に当てて、電力受給用の外部端子を接続端子９７に接触させ、この状態から、外部端子が形成された側を支点として、ヒンジ部７５側を降下させるように回転させて、ヒンジ部７５側をヒンジ側支持部９２に押し付ける。
これによって、携帯電話機１Ａの嵌合用凹部にロックアーム部９５の先端が嵌着され、電力受給用の外部端子に接続端子９７が確実に接続された状態で、携帯電話機１Ａが保持される。
【００６４】
ところが、嵌合用凹部の下側には、溝部８８が形成されているため、ヒンジ部７５側を降下させる際に、ロックアーム部９５の先端が、嵌合用凹部に突き当てられる前に、溝部８８に接触してロックされて、充電器９１に対して誤装着されてしまうことがある。
が行われることはない。
このように、後端係止部及び後端爪部の係止面及び被係止面とを、スライド方向に沿って平行（取り着られけた電池カバーに略水平）とした場合には、後端係止部８２をリアケース７３のヒンジ部７５側の側壁部に形成することとなり、充電器９１に装着する際に、電池カバー取着構造７１の一部が、携帯電話機１Ａの充電器９１への固定機能に対して、妨げとなってしまう。
この不具合を解消するために、この例では、携帯電話機１の後端係止部及び後端爪部の互いに当接する係止面及び被係止面を傾斜面としている。
【００６５】
次に、この例の携帯電話機１の電池カバー３３の取着方法及び取外方法、及び電池カバー取着構造５７の機能について、図１乃至図５を用いて説明する。
携帯電話機本体に電池パック２６を取り着けるには、下部筐体９に形成された凹部２３に、爪部３５ｂが位置決め用の嵌合孔２７に嵌合するように端子接続部材３４が取り着けられた側を内壁面２４に近づけて、機器本体側接続端子２５，２５，２５に、接続金具３４の機器本体側接触片４１を接触させて、電池パック２１を凹部２３内に嵌め込む。最後に、電池カバー３３を取り着ける。
【００６６】
電池カバー３３を取り着けるには、図１乃至図３に示すように、挿入孔６１に前端爪部５１を挿入し、かつ、側端爪部５２をクリアランス部６３ｂに挿入した状態で、電池カバー３３を載置部４２上に載せ、この状態から電池カバー３３を先端部側へ向けて摺動させる。
この摺動操作と共に、突起部５５は嵌合凹部４７に嵌め込まれ、かつ、前端爪部５１の先端部が突起部６１に押されて、下方に屈曲するように変形し、突起部６１を乗り越えると、復元力によって前端爪部５１が元の形状に戻って前端係止部４３によって前端爪部５１が係止される（前端係止部４３と前端爪部５１とが係合する）。これによって、電池カバー３３後方への変位が制止される。
【００６７】
また、図４に示すように、側端爪部５２をクリアランス部６３ｂに挿入するように電池カバー３３を載置部４２に載置した状態で、電池カバー３３を前方へ摺動させることによって、フック部５２ｂが突起部６４の下方の収納部６３ａに潜り込むように、側端爪部５２が変位し、側端係止部４４によって側端爪部５２が係止される。
ここで、突起部６４の下面６４ａとフック部５２ｂの上面５２ｑとの接触によって、電池カバー３３を持ち上げようとする力に抗して、電池カバー３３の上方への変位が制止される。
また、突起部６４の後端面６４ｂと垂下部５２ａの前端面５２ｐとの接触、及び凹部６３の内壁面６３ｑとフック部５２ｂの前端面５２ｓとの接触によって、電池カバー３３の前方への変位が制止される。
【００６８】
また、図５に示すように、後端爪部５３を開口６７から凹部６６に挿入するように電池カバー３３を載置部に４２載置した状態で、電池カバー３３を前方へ摺動させることによって、傾斜面６８ａに対して傾斜面５３ｐが摺動しながら、後端爪部５３が蓋部６８の下方に潜り込むように、側端爪部５２が変位し、後端係止部４５によって後端爪部５３が係止される。
ここで、傾斜面６８ａと傾斜面５３ｐとの接触によって、電池カバー３３を持ち上げようとする力に抗して、電池カバー３３の上方への変位が制止されると共に、電池カバー３３の前方への変位が制止される。
なお、電池カバー３３を前方へ摺動させることによって、突起部５４は、案内溝４６に挿入される。
【００６９】
電池カバー３３を取り外すには、前端係止部４３によって前端爪部５１が係止された状態から、押圧部５６が押圧されることによって、前端爪部５１の先端部が下方に屈曲して、突起部６１から離れて、前端係止部４３によって前端爪部５１が係止された係止状態が解除され（前端係止部４３と前端爪部５１との係合関係が解除され）、この状態で電池カバー３３を後方（ヒンジ側４）へ向けて摺動させることによって、電池カバー３３が取り外される。
また、フック部５２ｂがクリアランス部６３ｂに移動して、突起部６４から外れると、側端係止部４４によって側端爪部５２が係止される係止状態が解除される（側部係止部４４と側部爪部５２との係合関係が解除される）。
【００７０】
また、後端爪部５３が開口６７直下の凹部６６に移動して、蓋部６８から外れると、後端係止部４５によって後端爪部５３が係止される係止状態が解除される（後端係止部４５と後端爪部５３との係合関係が解除される）。
また、電池カバー３３を後方へ摺動させることによって、案内溝４６の傾斜した案内面に案内されて突起部５４が次第に上方に変位し、電池カバー３３の後端部が持ち上げられ、手指で把持可能となる。
【００７１】
次に、携帯電話機１の電池パック２６への充電方法について、図１０乃至図１４を参照して説明する。
携帯電話機１の電池パック２６を充電する場合には、図７乃至図１１に示すように、携帯電話機１を専用の充電器９１に装着する。
充電器９１は、折り畳んだ状態の携帯電話機１のヒンジ部４側を支持するヒンジ側支持部９２と、ヒンジ部４と反対側の外部端子が形成された側を支持する外部端子側支持部９３とを有している。
【００７２】
ヒンジ側支持部９２は、リアケース３２の後端部を載せる受け台７４と、その先端部が嵌合用凹部２９に弾性的に突き当てられ、嵌着されるロックアーム部９５とを有している。
外部端子側支持部９３は、開口９６から露出され、携帯電話機１の電力受給用の外部端子に接続し、ばね性を有する断面略くの字形の接続端子９７が設けられた一対の押え部９８を有している。
【００７３】
まず、携帯電話機１の折り畳んだ状態の携帯電話機１を、下部ユニット３を下に向けて、外部端子が形成された側を、外部端子側支持部９３に当てて、電力受給用の外部端子を接続端子９７に接触させ、この状態から、外部端子が形成された側を支点として、ヒンジ部４側を降下させるように回転させて、ヒンジ部４側をヒンジ側支持部９２に押し着ける。
これによって、嵌合用凹部２９にロックアーム部９５の先端が嵌着され、電力受給用の外部端子に接続端子７７が確実に接続された状態で、携帯電話機１が保持される。
ここで、嵌合用凹部２９の下側には、溝部や凹部は形成されていないため、ヒンジ部４側を降下させる際に、ロックアーム部９５の先端が、嵌合用凹部２９に突き当てられる前に、溝部や凹部に接触してロックされて、充電器９１に対して誤装着が行われることはない。
【００７４】
このように、この例の構成によれば、下面６４ａや底面６３ｐは、例えば、凹部３４の底面３４ａに対して平行となるように形成され、上面５２ｑや下面５２ｒは、例えば、電池カバー３３の裏面３３ａ及び外表面３３ｂに対して平行となるように形成されているために、側端係止部４４及び側端爪部５２の各部位の寸法の設定及び調整等は、スライド方向に沿った軸を基準軸（例えば、ｘ軸）として選択した場合に、例えば、スライド方向に沿った寸法（ｘ軸座標）と、スライド方向に直交する方向（例えば、電池カバー３３の厚さ方向）に沿った寸法（ｚ軸座標）とで、独立に実行することができるので、側端係止部４４と側端爪部５２との係合関係の調整を迅速かつ簡単に行うことができる。したがって、例えば、開発期間の短縮化に寄与することができる。
【００７５】
また、後端係止部４５及び後端爪部５３は、電池カバー３３がリアケース３２に取り着けられた状態で、それぞれ、共にスライド方向に対して傾斜した互いに対向する傾斜面６８ａ，５３ｐを有しているため、後端係止部４５をリアケース３２の側壁部に形成する必要がないため、嵌合用凹部２９の下側には、溝部や凹部は形成されないので、ヒンジ部４側を充電器９１ヘ向けて降下させる際に、ロックアーム部９５の先端が、嵌合用凹部２９に突き当てられる前に、溝部や凹部に接触してロックされて、充電器９１に対して誤装着が行われることを防止することができる。
【００７６】
また、側端爪部５２を側端係止部４４によって係止させる場合に、側端爪部５２を側端係止部４４のクリアランス部６３ｂに挿入するように電池カバー３３を載置部４２に載置した状態で、電池カバー３３を前方へ摺動させることによって、フック部５２ｂが突起部６４の下方の収納部６３ａに潜り込むように、側端爪部５２を変位させるので、側端爪部５２を斜面を押しながら挿入するわけではないため、比較的小さい力でスライドさせることができ、側端爪部５２の挿入を容易に行うことができ、簡単かつ円滑に電池カバー３３をリアケース３２に取り着けることができる。
【実施例２】
【００７７】
図１５は、この発明の第２の実施例である携帯電話機の構成を説明するための分解斜視図、また、図１６は、同携帯電話機の加飾カバーの構成を示す図であって、裏面側から見た斜視図である。
この例が上述した第１の実施例と大きく異なるところは、カバー板として、蓋状の電池カバーに代えて、加飾カバーの取着構造に適用した点である。
【００７８】
この例の携帯電話機１Ｂは、図１５に示すように、折畳可能な筐体１０１を備えた携帯電話機本体１０２に、所定の模様及び色彩が施された加飾カバー１０３が着脱自在に装着されて概略構成されている。
携帯電話機本体１０２は、上部ユニット１０４と下部ユニット１０５とが、互いに開閉自在にヒンジ部１０６で相互に結合されて構成されている。
【００７９】
加飾カバー１０３は、その裏面１０３ａが、上部ユニット１０４のリアケース１０７の載置面１０８に載せられた状態で、載置面１０８上を、リアケース１０７の長さ方向に沿って、先端側からヒンジ部１０６が形成された側へ向けて摺動されて、前端係止部１０９、中間係止部１１１及び後端係止部１１２によって、所定の部位が係止されることによって、リアケース１０７に取り着けられ、それぞれ、裏面１０３ａ側に突設され、前端係止部１０９によって係止される前端爪部１１３と、一対の中間係止部１１１によって係止される中間爪部１１４と、後端係止部１１２によって係止される 後端爪部１１５とを有している。
【００８０】
この例の加飾カバー取着構造は、図１５及び図１６に示すように、加飾カバー１０３が、裏面１０３ａ側が載置面１０８に載せられた状態から、載置面１０８上をリアケース１０７の長さ方向に沿って先端側からヒンジ部１０６が形成された側へ向けて摺動されて、前端爪部１１３と、中間爪部１１４と、後端爪部１１５とが、載置面１０８上に形成された前端係止部１０９と、中間係止部１１１と、後端係止部１１２とによって、係止されることによって、リアケース１０７に着脱自在に取り着けられて概略構成されている。
【００８１】
ここで、前端係止部１０９によって前端爪部１１３が係止されることによって、加飾カバー１０３の後方、前方及び上方への変位が制止され、中間係止部１１１によって中間爪部１１４が係止されることによって、加飾カバー１０３の前方、側方及び上方への変位が制止され、後端係止部１１２によって後端爪部１１５が係止されることによって、加飾カバー１０３の前方、側方及び上方への変位が制止されて、位置決めされた状態で、加飾カバー１０３がリアケース１０７に取り着けられる。
【００８２】
この例では、中間係止部１１１及び中間爪部１１４は、加飾カバー１０３がリアケース１０７に取り着けられた状態で、それぞれ、共にスライド方向に対して略平行な互いに対向する係止面及び被係止面を有している。
また、後端係止部１１２及び後端爪部１１５は、加飾カバー１０３がリアケース１０７に取り着けられた状態で、それぞれ、共にスライド方向に対して所定の傾斜角で傾斜した係止面及び被係止面を有している。
【００８３】
この例の構成によれば、上述した第１の実施例と略同様の効果を得ることができる。
【００８４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、複数対の係止部及び被係止片のうち、一部の係止部及び被係止片について、共にスライド方向に対して傾斜した互いに対向する係止面及び被係止面を有する係止部及び被係止片を形成する場合について述べたが、全ての係止部及び被係止片について、共にスライド方向に対して略平行な互いに対向する係止面及び被係止面を有する係止部及び被係止片を形成するようにしても良い。
【００８５】
例えば、第１の実施例で、２段ロックの不具合が解消された構成とされていれば、後端部の係止部及び被係止片の係止面及び被係止面を、共にスライド方向に対して略平行となるように形成しても良い。
また、電池カバー以外のカバー板については、他の機能の妨げにならない場合に、近傍の構造にかかわらず、全ての係止部及び被係止片について、共にスライド方向に対して略平行な互いに対向する係止面及び被係止面を有する係止部及び被係止片を形成するようにしても良い。
【００８６】
また、第１の実施例で、側端係止部及び側端爪部は、左右非対称としても良い。例えば、左右一対の側端係止部及び側端爪部のうち、一方の側端係止部及び側端爪部の係止面及び被係止面をスライド方向に対して略平行とし、他方の側端係止部及び側端爪部の係止面及び被係止面をスライド方向に対して傾斜させるようにしても良い。
また、スライド方向に沿って、左右両側で互い違いに配置するようにしても良い。
例えば、カバー板としては、電池カバーに限らず、例えば、ＳＤスロットカバーに適用しても良い。
【００８７】
また、前端係止部と前端爪部との係合によって、横方向の変位も制止するようにしても良い。
また、例えば、側端係止部及び側端爪部は、一対に限らず、複数対設けるようにしても良い。
また、第２の実施例で、加飾カバーは、筐体（フロントケースやリアケース（リアカバー））の一部を構成するものであっても良い。
【００８８】
また、電池カバーを幅方向に沿って、スライドさせるようにしても良い。
また、筐体やカバー板を構成する部材としては、樹脂でも良いし、金属を用いても良い。また、側端爪部は、電池カバーの裏面側から垂下状態で突設されていなくても、側端面から側方又は斜め下方に向けて突設されていても良い。
【産業上の利用可能性】
【００８９】
携帯型の電子機器としては、携帯電話機のほか、簡易型携帯電話（ＰＨＳ）端末や、携帯情報端末（ＰＤＡ）、携帯型のコンピュータに対して適用できる。また、電子機器として、携帯型のもののほか、コンピュータ等に対して適用できる。
【図面の簡単な説明】
【００９０】
【図１】この発明の第１の実施例である携帯電話機の構成を説明するための分解斜視図である。
【図２】同携帯電話機の電池カバーの構成を示す図であって、裏面側から見た斜視図である。
【図３】同携帯電話機の構成を示す断面図である。
【図４】図３のＡ部を拡大して示す拡大図である。
【図５】図３のＢ部を拡大して示す拡大図である。
【図６】同携帯電話機の構成を示すブロック図である。
【図７】同携帯電話機の後端係止部及び後端爪部の互いに当接する係止面及び被係止面を傾斜面とした理由を説明するための断面図である。
【図８】図７のＣ部を拡大して示す断面図である。
【図９】図７のＤ部を拡大して示す断面図である。
【図１０】同携帯電話機を充電器に装着した状態を示す斜視図である。
【図１１】同携帯電話機を同充電器に装着する様子を示す分解斜視図である。
【図１２】同携帯電話機を同充電器に装着した状態を示す平面図である。
【図１３】図１２のＥ−Ｅ線に沿った断面図である。
【図１４】図１３のＦ部を拡大して示す断面図である。
【図１５】この発明の第２の実施例である携帯電話機の構成を説明するための分解斜視図である。
【図１６】同携帯電話機の加飾カバーの構成を示す図であって、裏面側から見た斜視図である。
【図１７】従来技術を説明するための説明図であって、従来の携帯電話機における電池カバー取着構造を説明するための断面図である。
【図１８】従来技術を説明するための説明図であって、図１７のＧ部を拡大して示す拡大図である。
【図１９】従来技術を説明するための説明図であって、図１７のＨ部を拡大して示す拡大図である。
【符号の説明】
【００９１】
１，１Ｂ      携帯電話機（電子機器）
２６      電池パック
２７      電池格納部
２９      嵌合用凹部（被装着部）
３２      リアケース（筐体）
３３      電池カバー（カバー板）
３３ａ      裏面
４４      側部係止部（係止部、特定係止部、第１の係止部）
４５      後端係止部（係止部、第２の係止部）
５２      側端爪部（被係止片、特定被係止片、第１の被係止片）
５２ａ      垂下部（支持部）
５２ｂ      フック部（挿入部）
５２ｑ      上面（被係止面、第１の被係止面）
５３      後端爪部（被係止片、第１の被係止片）
５３ｐ      傾斜面（被係止面、第２の被係止面）
５７      電池カバー取着構造（電子機器のカバー板取着構造）
６３      凹部
６３ａ      収納部（横溝）
６３ｂ      クリアランス部（凹部）
６４      突起部  
６４ａ      下面（係止面、第１の係止面）
６６        凹部
６８        蓋部
６８ａ      傾斜面（係止面、第２の係止面）
９１      充電器（充電装置）
１０３      加飾カバー（カバー板）
１１１      中間係止部（係止部、第１の係止部）
１１２      後端係止部（係止部、第２の係止部）
１１４      中間爪部（被係止片、第１の被係止片）
１１５      後端爪部（被係止片、第２の被係止片）
【図１】
0005217082.tif 000002
【図２】
0005217082.tif 000003
【図３】
0005217082.tif 000004
【図４】
0005217082.tif 000005
【図５】
0005217082.tif 000006
【図６】
0005217082.tif 000007
【図７】
0005217082.tif 000008
【図８】
0005217082.tif 000009
【図９】
0005217082.tif 000010
【図１０】
0005217082.tif 000011
【図１１】
0005217082.tif 000012
【図１２】
0005217082.tif 000013
【図１３】
0005217082.tif 000014
【図１４】
0005217082.tif 000015
【図１５】
0005217082.tif 000016
【図１６】
0005217082.tif 000017
【図１７】
0005217082.tif 000018
【図１８】
0005217082.tif 000019
【図１９】
0005217082.tif 000020